(57)【要約】【課題】多数の被験処理条件の肥大化阻害効果を鋭敏に検出するために、肥大化の前後で大きく変化するマーカーを利用する、脂肪細胞の肥大化状態の評価方法と、脂肪細胞の肥大化阻害効果の評価方法と、該評価方法を実施するためのキットと、脂肪細胞の肥大化を抑制する化合物のスクリーニング方法とを開発する。【解決手段】本発明は、生物学的試料中のＩＧＦＢＰ５遺伝子産物の発現量ｅを決定するステップを含む、脂肪細胞の肥大化状態の評価方法を提供する。本発明は、被験処理条件による脂肪細胞の肥大化阻害効果の評価方法を提供する。本発明の評価方法は、（１）被験処理前の生物学的試料中のＩＧＦＢＰ５遺伝子産物の発現量Ｅ０を決定するステップと、（２）被験処理後の生物学的試料中のＩＧＦＢＰ５遺伝子産物の発現量Ｅ１を決定するステップとを含む。【選択図】なし【特許請求の範囲】
【請求項１】
生物学的試料中のＩＧＦＢＰ５遺伝子産物の発現量ｅを決定するステップを含むことを特徴とする、脂肪細胞の肥大化状態の評価方法。
【請求項２】
被験処理条件による脂肪細胞の肥大化阻害効果の評価方法であって、
（１）被験処理前の生物学的試料中のＩＧＦＢＰ５遺伝子産物の発現量Ｅ０を決定するステップと、
（２）被験処理後の生物学的試料中のＩＧＦＢＰ５遺伝子産物の発現量Ｅ１を決定するステップと、
（３）Ｅ０及びＥ１に基づいて、前記被験処理条件の肥大化阻害効果を評価するステップとを含むことを特徴とする、評価方法。
【請求項３】
前記生物学的試料は、被験者から採取された血液、細胞及び組織からなるグループから選択される少なくとも１種類から調製されることを特徴とする、請求項２に記載の評価方法。
【請求項４】
被験処理条件による培養脂肪細胞の肥大化阻害効果の評価方法であって、
（１）前記培養脂肪細胞の肥大化処理前のＩＧＦＢＰ５遺伝子産物の発現量Ｅ’０を決定するステップと、
（２）前記培養脂肪細胞の肥大化処理後のＩＧＦＢＰ５遺伝子産物の発現量Ｅ’１を決定するステップと、
（３）Ｅ’０及びＥ’１に基づいて、前記被験処理条件の肥大化阻害効果を評価するステップとを含むことを特徴とする、評価方法。
【請求項５】
前記被験処理条件は、試験化合物が添加された培地中での前記培養脂肪細胞の肥大化処理であることを特徴とする、請求項４に記載の評価方法。
【請求項６】
前記脂肪細胞は哺乳類由来の脂肪細胞株であることを特徴とする、請求項４又は５に記載の評価方法。
【請求項７】
前記ＩＧＦＢＰ５遺伝子産物の発現量は、ＩＧＦＢＰ５のｍＲＮＡ及び／又はタンパク質の存在量に基づいて決定されることを特徴とする、請求項１ないし６のいずれか１つに記載の評価方法。
【請求項８】
前記ＩＧＦＢＰ５のｍＲＮＡは、ＲＴ−ＰＣＲ法又は固相雑種形成法で検出されることを特徴とする、請求項７に記載の評価方法。
【請求項９】
前記ＩＧＦＢＰ５のタンパク質は、ＥＬＩＳＡ法、ウエスタンブロット法、免疫沈降法及び免疫比濁法からなるグループから選択される少なくとも１つの方法で検出されることを特徴とする、請求項７に記載の評価方法。
【請求項１０】
前記ＩＧＦＢＰ５遺伝子産物の発現量を決定するための試薬を含む、請求項１ないし９のいずれか１つに記載の評価方法を実施するためのキット。
【請求項１１】
前記試薬は、前記ＩＧＦＢＰ５のｍＲＮＡに特異的なプライマー対及び／又はプローブか、前記ＩＧＦＢＰ５のタンパク質に特異的な抗体かであることを特徴とする、請求項１０に記載のキット。
【請求項１２】
脂肪細胞の肥大化を抑制する化合物のスクリーニング方法であって、
（１）前記脂肪細胞の肥大化を抑制する候補化合物を用意するステップと、
（２）肥大化処理と、前記候補化合物の投与とが実施される前に、前記脂肪細胞のＩＧＦＢＰ５遺伝子産物の発現量Ｅ’’０を決定するステップと、
（３）前記肥大化処理だけが実施された後に、前記脂肪細胞のＩＧＦＢＰ５遺伝子産物の発現量Ｅ’’１を決定するステップと、
（４）前記肥大化処理と、前記候補化合物の投与とが実施された後に、前記脂肪細胞のＩＧＦＢＰ５遺伝子産物の発現量Ｅ’’２を決定するステップと、
（５）Ｅ’’２がＥ’’１よりも低い値を示す候補化合物を、脂肪細胞の肥大化を抑制する化合物として選択するステップとを含むことを特徴とする、スクリーニング方法。
【発明の詳細な説明】
【技術分野】
【０００１】
本発明は、脂肪細胞の肥大化状態の評価方法と、被験処理条件による脂肪細胞の肥大化阻害効果の評価方法と、前記評価方法を実施するためのキットと、脂肪細胞の肥大化を抑制する化合物のスクリーニング方法とに関する。本発明は、具体的には、ＩＧＦＢＰ５遺伝子産物の発現量を決定するステップを含む、脂肪細胞の肥大化状態の評価方法と、ＩＧＦＢＰ５遺伝子産物の発現量を決定するステップを含む、被験処理条件による脂肪細胞の肥大化阻害効果の評価方法と、ＩＧＦＢＰ５遺伝子産物の発現量を決定するための試薬を含む、前記評価方法を実施するためのキットと、ＩＧＦＢＰ５遺伝子産物の発現量を決定するステップを含む、脂肪細胞の肥大化を抑制する化合物のスクリーニング方法とに関する。
【背景技術】
【０００２】
肥満は、脂肪が体内に過剰に蓄積した状態をいう。肥満が進行すると、高血圧、２型糖尿病、循環器系疾患等の全身性疾患にかかる可能性が高くなる。また肥満が進行した人の皮膚には、肥大化した脂肪細胞がセルライトを形成し、腰から臀部を経て大腿部にかけての皮下組織が不均一に肥厚して、皮膚表面の凹凸が生じる、「オレンジピールスキン」という症状が現れる。脂肪の体内蓄積は、脂肪細胞の体積が増大する肥大化と、脂肪前駆細胞の増殖及び分化という異なるメカニズムによって進行するが、いずれも、さまざまなサイトカイン及び転写因子を介するカスケードが関与することが知られている（非特許文献１）。そして、ＴＮＦ（腫瘍壊死因子）−α（非特許文献２）、ＩＧＦＢＰ（インシュリン様成長因子結合タンパク質）３（非特許文献３）等の液性因子が、培養脂肪細胞の分化、すなわち、肥大化を阻害することが知られている。したがって、脂肪細胞の肥大化阻害の実験系は、生体での肥満の予防及び／又は軽減に有効な化合物をスクリーニングするのに利用できる。
【０００３】
しかし、従来の脂肪細胞の肥大化阻害の実験系で用いられたマーカーの発現量の変動は、肥大化の前後での変化が大きいＰＰＡＲγのｍＲＮＡ量でも１２．８倍しかなかった（非特許文献３）。肥大化の前後での変化がより大きいマーカーは、より鋭敏に被験条件の肥大化阻害効果を検出することができるので、ハイスループット分析のために好ましい。
【先行技術文献】
【非特許文献】
【０００４】
【非特許文献１】Ｇｒｅｇｏｉｒｅ，Ｆ．Ｍ．、Ｅｘｐ．Ｂｉｏｌ．Ｍｅｄ．、２２６：９９７（２００１）
【非特許文献２】Ｘｉｎｇ，Ｈ．ら、Ｅｎｄｏｃｒｉｎｏｌｏｇｙ、１３８：２７７６（１９９７）
【非特許文献３】Ｃｈａｎ，Ｓ．Ｓ．Ｙ．ら、Ａｍ．Ｊ．Ｐｈｙｓｉｏｌ．Ｅｎｄｏｃｒｉｎｏｌ．Ｍｅｔａｂ．、２９６：６５４（２００９）
【発明の開示】
【発明が解決しようとする課題】
【０００５】
そこで、多数の被験処理条件の肥大化阻害効果を鋭敏に検出するために、肥大化の前後で大きく変化するマーカーを利用する、脂肪細胞の肥大化状態の評価方法と、脂肪細胞の肥大化阻害効果の評価方法と、該評価方法を実施するためのキットと、脂肪細胞の肥大化を抑制する化合物のスクリーニング方法とを開発する必要がある。
【課題を解決するための手段】
【０００６】
本発明は、生物学的試料中のＩＧＦＢＰ５遺伝子産物の発現量ｅを決定するステップを含む、脂肪細胞の肥大化状態の評価方法を提供する。本発明の脂肪細胞の肥大化状態の評価方法では、正常な生物学的試料中のＩＧＦＢＰ５遺伝子産物の発現量ｅ０と、肥満状態の生物学的試料中のＩＧＦＢＰ５遺伝子産物の発現量ｅ１とに基づいて評価される場合がある。本発明の脂肪細胞の肥大化状態の評価方法において、前記ＩＧＦＢＰ５遺伝子産物の発現量は、ＩＧＦＢＰ５のｍＲＮＡ及び／又はタンパク質の存在量に基づいて決定される場合がある。
【０００７】
本発明は、被験処理条件による脂肪細胞の肥大化阻害効果の評価方法を提供する。本発明の評価方法は、（１）被験処理前の生物学的試料中のＩＧＦＢＰ５遺伝子産物の発現量Ｅ０を決定するステップと、（２）被験処理後の生物学的試料中のＩＧＦＢＰ５遺伝子産物の発現量Ｅ１を決定するステップと、（３）Ｅ０及びＥ１に基づいて、前記被験処理条件の肥大化阻害効果を評価するステップとを含む。
【０００８】
本発明の評価方法において、前記生物学的試料は、被験者から採取された血液、細胞及び組織からなるグループから選択される少なくとも１種類から調製される場合がある。
【０００９】
本発明は、被験処理条件による培養脂肪細胞の肥大化阻害効果の評価方法を提供する。本発明の評価方法は、（１）前記培養脂肪細胞の肥大化処理前のＩＧＦＢＰ５遺伝子産物の発現量Ｅ’０を決定するステップと、（２）前記培養脂肪細胞の肥大化処理後のＩＧＦＢＰ５遺伝子産物の発現量Ｅ’１を決定するステップと、（３）Ｅ’０及びＥ’１に基づいて、前記被験処理条件の肥大化阻害効果を評価するステップとを含む。
【００１０】
本発明の評価方法において、前記被験処理条件は、試験化合物が添加された培地中での前記培養脂肪細胞の肥大化処理の場合がある。
【００１１】
本発明の評価方法において、前記脂肪細胞は哺乳類由来の脂肪細胞株の場合がある。
【００１２】
本発明の評価方法において、前記ＩＧＦＢＰ５遺伝子産物の発現量は、ＩＧＦＢＰ５のｍＲＮＡ及び／又はタンパク質の存在量に基づいて決定される場合がある。
【００１３】
本発明の評価方法において、前記ＩＧＦＢＰ５遺伝子産物の発現量は、対照遺伝子のｍＲＮＡ及び／又はタンパク質の存在量を基準とする相対値として決定される場合がある。
【００１４】
本発明の評価方法において、前記ＩＧＦＢＰ５のｍＲＮＡは、ＲＴ−ＰＣＲ法又は固相雑種形成法で検出される場合がある。本発明の評価方法において、前記ＩＧＦＢＰ５のｍＲＮＡは、前記ＩＧＦＢＰ５のｍＲＮＡに特異的なプライマー対及び／又はプローブを用いるＲＴ−ＰＣＲ法又は固相雑種形成法で検出される場合がある。
【００１５】
本発明の評価方法において、前記ＩＧＦＢＰ５のタンパク質は、ＥＬＩＳＡ法、ウエスタンブロット法、免疫沈降法及び免疫比濁法からなるグループから選択される少なくとも１つの方法で検出される場合がある。本発明の評価方法において、前記ＩＧＦＢＰ５のタンパク質は、前記ＩＧＦＢＰ５のタンパク質に特異的な抗体を用いるＥＬＩＳＡ法、ウエスタンブロット法、免疫沈降法及び免疫比濁法からなるグループから選択される少なくとも１つの方法で検出される場合がある。
【００１６】
本発明は、前記ＩＧＦＢＰ５遺伝子産物の発現量を決定するための試薬を含む、本発明の評価方法を実施するためのキットを提供する。
【００１７】
本発明のキットにおいて、前記試薬は、前記ＩＧＦＢＰ５のｍＲＮＡに特異的なプライマー対及び／又はプローブか、前記ＩＧＦＢＰ５のタンパク質に特異的な抗体かの場合がある。
【００１８】
本発明は、脂肪細胞の肥大化を抑制する化合物のスクリーニング方法を提供する。本発明のスクリーニング方法は、（１）前記脂肪細胞の肥大化を抑制する候補化合物を用意するステップと、（２）肥大化処理と、前記候補化合物の投与とが実施される前に、前記脂肪細胞のＩＧＦＢＰ５遺伝子産物の発現量Ｅ’’０を決定するステップと、（３）前記肥大化処理だけが実施された後に、前記脂肪細胞のＩＧＦＢＰ５遺伝子産物の発現量Ｅ’’１を決定するステップと、（４）前記肥大化処理と、前記候補化合物の投与とが実施された後に、前記脂肪細胞のＩＧＦＢＰ５遺伝子産物の発現量Ｅ’’２を決定するステップと、（５）Ｅ’’２がＥ’’１よりも低い値を示す候補化合物を、脂肪細胞の肥大化を抑制する化合物として選択するステップとを含む。
【００１９】
本発明のスクリーニング方法において、前記ＩＧＦＢＰ５遺伝子産物の発現量は、ＩＧＦＢＰ５のｍＲＮＡ及び／又はタンパク質の存在量に基づいて決定される場合がある。
【００２０】
本発明は、被験者から採取された生物学的試料中のＩＧＦＢＰ５遺伝子産物の発現量を決定するステップを含む、肥満の診断方法を提供する。本発明の診断方法において、前記生物学的試料は、採取された血液か、生検により採取された脂肪細胞かの場合がある。本発明の診断方法において、前記ＩＧＦＢＰ５遺伝子産物の発現量は、ＩＧＦＢＰ５のｍＲＮＡ及び／又はタンパク質の存在量に基づいて決定される場合がある。
【００２１】
本明細書におけるＩＧＦＢＰ５遺伝子産物の発現量とは、生物学的試料におけるＩＧＦＢＰ５のｍＲＮＡ及び／又はタンパク質の存在量をいう。前記生物学的試料は、血液、脂肪細胞等の生体内から採取された細胞及び組織と、培養細胞とを含むが、これらに限定されない。前記生物学的試料は、当業者に標準的な方法で調製することができる。前記生物学的試料の生物種は、ヒト、サル、マウス及びラットを含むが、これらに限定されない。前記ＩＧＦＢＰ５のｍＲＮＡは、成熟ｍＲＮＡ、スプライシング・バリアント及び未成熟ｍＲＮＡを含むが、これらに限定されない。
【００２２】
本発明における培養脂肪細胞とは、生体内から採取された脂肪細胞の初代培養と、継代された脂肪細胞株とを含み、白色脂肪細胞及び／又は褐色脂肪細胞の細胞系譜に属するか、他の細胞タイプの細胞系譜に属するかに関係なく、以下に説明する肥大化処理によって細胞内の脂肪滴を肥大化させることのできるいずれかの細胞をいう。本発明の培養脂肪細胞には、マウス由来の３Ｔ３−Ｌ１細胞株、３Ｔ３−Ｆ４４２Ａ細胞等の株細胞が含まれるが、これに限定されない。
【００２３】
本発明の培養脂肪細胞の肥大化処理とは、本発明の培養脂肪細胞内の脂肪滴を肥大化させることのできるいずれかの処理をいい、インシュリン、デキサメタゾン、３−イソブチル−１−メチルキサンチン等を含むが、これらの限定されない成分を含む培地で培養されるのが典型的である。
【００２４】
本明細書におけるＩＧＦＢＰ５とは、本発明の評価方法に用いられる脂肪細胞と同じ動物種のインシュリン様成長因子結合タンパク質５の相同遺伝子をいう。
【００２５】
ＩＧＦＢＰ５は、毛幹の分化や毛髄質の形成に関与していることが示されている（Ｓｃｈｌａｋｅ，Ｔ．、Ｄｅｖｅｌｏｐｍｅｎｔ．、１３２：２９８１（２００５）、及び、Ｓｃｈｌａｋｅ，Ｔ．，Ｍｅｃｈ  Ｄｅｖ．、１２２：９８８（２００５））。しかし脂肪細胞、特に脂肪細胞の肥大化におけるＩＧＦＢＰ５の生理作用は明らかにされていない。
【００２６】
以下の実施例に示すとおり、脂肪細胞が肥大化するのに伴ってＩＧＦＢＰ５遺伝子産物の発現量が顕著に増大することはこれまで知られていなかった。したがって、本発明のＩＧＦＢＰ５遺伝子産物の発現量を指標とする脂肪細胞の肥大化状態の評価方法は新規発明である。
【００２７】
本発明におけるＩＧＦＢＰ５遺伝子産物の発現量は、脂肪細胞内に存在するＩＧＦＢＰ５のｍＲＮＡの存在量の他、前記脂肪細胞におけるＩＧＦＢＰ５遺伝子の転写活性を含む。前記脂肪細胞内に存在するＩＧＦＢＰ５のｍＲＮＡの存在量は、ＲＴ−ＰＣＲ法、ノザンブロット法その他の固相雑種形成法を含むがこれらに限定されない方法によって決定される。前記脂肪細胞におけるＩＧＦＢＰ５遺伝子の転写活性は、クロラムフェニコールアセチルトランスフェラーゼ（ＣＡＴ）、β−ガラクトシダーゼ（ＬａｃＺ）、ルシフェラーゼ（Ｌｕｃ）、緑蛍光タンパク質（ＧＦＰ）その他のレポータータンパク質がＩＧＦＢＰ５遺伝子の発現制御領域によって駆動されるコンストラクトを培養脂肪細胞に一時的又は永続的に導入することによって測定されるのが典型的である。前記培養脂肪細胞がマウス由来のとき、前記細胞内に存在するＩＧＦＢＰ５のｍＲＮＡの存在量をＲＴ−ＰＣＲ法によって決定するためには、配列番号１及び２に列挙されるヌクレオチド配列からなるオリゴヌクレオチドが、プライマーの対として用いられる場合がある。
【００２８】
本発明におけるＩＧＦＢＰ５のｍＲＮＡの存在量は、決定するときの細胞の数又は全タンパク質の存在量によって標準化された絶対値として決定される場合がある。あるいは、同じ数の細胞が複数の同一容器、例えば、ウェル、ディッシュ、フラスコ等に播種される場合には、肥大化処理後及び被験処理条件における培養後の容器１つあたりのＩＧＦＢＰ５のｍＲＮＡの存在量は、肥大化処理前の前記脂肪細胞のＩＧＦＢＰ５のｍＲＮＡの存在量を基準とする相対値で表される場合がある。さらに、本発明におけるＩＧＦＢＰ５のｍＲＮＡの存在量は、同じ数の細胞が複数の同一容器、例えば、ウェル、ディッシュ、フラスコ等に播種される場合には、同一条件で処理された容器１つあたりの対照遺伝子のｍＲＮＡの存在量で標準化される場合がある。前記対照遺伝子は、いわゆるハウスキーピング遺伝子を含むが、これらに限定されず、例えば遺伝子発現アレイチップ等の手段で見つけることができる。本発明におけるハウスキーピング遺伝子は、２８ＳｒＲＮＡ、１８ＳｒＲＮＡ、グルコース−６−リン酸デヒドロゲナーゼ（Ｇ６ＰＤ）、グリセルアルデヒド３−リン酸デヒドロゲナーゼ（ＧＡＰＤＨ）、βアクチン等を含むが、これらに限定されない。前記対照遺伝子が２８Ｓ又は１８ＳｒＲＮＡの場合には、本明細書における「対照遺伝子のｍＲＮＡの存在量」という文言は、２８Ｓ又は１８ＳｒＲＮＡの存在量を意味するものとする。前記培養脂肪細胞がマウス由来のとき、前記細胞内に存在する２８ＳｒＲＮＡの存在量をＲＴ−ＰＣＲ法によって決定するためには、配列番号３及び４に列挙されるヌクレオチド配列からなるオリゴヌクレオチドが、プライマーの対として用いられる場合がある。
【００２９】
本発明における固相雑種形成法には、いわゆるノザンブロット法の他、遺伝子発現アレイチップへの雑種形成法を含むが、これらに限定されない。
【００３０】
本発明におけるＩＧＦＢＰ５遺伝子産物の発現量を決定するための試薬には、前記脂肪細胞内に存在するＩＧＦＢＰ５のｍＲＮＡの存在量を決定するための試薬の他、前記脂肪細胞におけるＩＧＦＢＰ５の転写活性を測定するための試薬が含まれるが、これらに限定されない。前記脂肪細胞内に存在するＩＧＦＢＰ５のｍＲＮＡの存在量を決定するための試薬には、ＩＧＦＢＰ５に特異的なプライマー対と、ＩＧＦＢＰ５に特異的なプローブとが含まれるが、これらに限定されない。前記脂肪細胞がマウス由来のとき、前記ＩＧＦＢＰ５（Ｉｇｆｂｐ５）に特異的なプライマー対は、配列番号１及び２に列挙されるヌクレオチド配列からなるオリゴヌクレオチドの場合がある。本発明のキットには、測定する細胞の数、細胞の全タンパク質の存在量等を決定するための試薬と、本発明の対照遺伝子のｍＲＮＡの存在量を決定するための試薬とを含むが、これらに限定されない、他の試薬が少なくとも１つ含まれる場合がある。
【００３１】
本発明におけるＩＧＦＢＰ５遺伝子産物の発現量は、脂肪細胞により産生されたＩＧＦＢＰ５のタンパク質の存在量の他、生検により採取された生物学的試料中に存在するＩＧＦＢＰ５のタンパク質の存在量を含む。ＩＧＦＢＰ５のタンパク質の存在量は、ＥＬＩＳＡ法、ウエスタンブロット法、免疫沈降法及び免疫比濁法を含むがこれらに限定されない方法によって決定される。前記方法において、ＩＧＦＢＰ５のタンパク質を特異的に認識する抗体が用いられる場合がある。前記抗体は、当業者に標準的な方法で調製されてもよく、商業的に入手可能な抗体であってもかまわない。
【００３２】
本発明におけるＩＧＦＢＰ５のタンパク質の存在量は、決定するときの細胞の数又は全タンパク質の存在量によって標準化された絶対値として決定される場合がある。あるいは、同じ数の細胞が複数の同一容器、例えば、ウェル、ディッシュ、フラスコ等に播種される場合には、肥大化処理後及び被験処理条件における培養後の容器１つあたりのＩＧＦＢＰ５のタンパク質の存在量は、肥大化処理前の前記脂肪細胞のＩＧＦＢＰ５のタンパク質の存在量を基準とする相対値で表される場合がある。さらに、本発明におけるＩＧＦＢＰ５のタンパク質の存在量は、同じ数の細胞が複数の同一容器、例えば、ウェル、ディッシュ、フラスコ等に播種される場合には、同一条件で処理された容器１つあたりの対照タンパク質の存在量で標準化される場合がある。前記対照タンパク質は、いわゆるハウスキーピング遺伝子のタンパク質、例えば、βアクチン、γチューブリン等を含むが、これらに限定されない。ハウスキーピング遺伝子のタンパク質の存在量をＥＬＩＳＡ法等によって決定するためには、前記タンパク質を特異的に認識する抗体が用いられる場合がある。
【００３３】
本発明におけるＩＧＦＢＰ５のタンパク質の存在量を決定するための試薬には、前記脂肪細胞により産生されたＩＧＦＢＰ５のタンパク質の存在量の他、生検により採取された生物学的試料中に存在するＩＧＦＢＰ５のタンパク質の存在量を決定するための試薬が含まれるが、これらに限定されない。前記ＩＧＦＢＰ５のタンパク質の存在量を決定するための試薬には、ＩＧＦＢＰ５のタンパク質に特異的な抗体が含まれるが、これらに限定されない。本発明のキットには、測定する細胞の数、細胞の全タンパク質の存在量等を決定するための試薬と、本発明の対照タンパク質の存在量を決定するための試薬とを含むが、これらに限定されない、他の試薬が少なくとも１つ含まれる場合がある。
【００３４】
脂肪細胞の肥大化阻害効果が評価されるとき、本発明の被験処理条件は、温熱刺激その他の物理的処理と、脂肪細胞の肥大化を抑制する候補化合物の投与のような化学的処理を含むが、これらに限定されない。また、培養脂肪細胞の肥大化阻害効果が評価されるとき、本発明の被験処理条件は、試験化合物が添加された培地中で前記培養脂肪細胞に前記肥大化処理を施すことを含むが、その他に、培養の際の温度、ガス組成、ガス分圧その他の物理的条件が操作される場合がある。
【００３５】
本発明のスクリーニング方法において、脂肪細胞の肥大化を抑制する候補化合物は、微生物、菌類、植物及び動物から調製される化合物と、化学的に合成される化合物とを含むが、これらに限定されない。前記候補化合物は、培養脂肪細胞と、マウス、ラット等を含む実験動物とに投与される場合がある。本発明のスクリーニング方法において、肥大化処理は、インシュリン、デキサメタゾン、３−イソブチル−１−メチルキサンチン等を前記培養脂肪細胞に投与すること、高脂肪食等を前記実験動物に給餌すること等を含むが、これらに限定されない。
【００３６】
本発明の診断方法において、被験者のＩＧＦＢＰ５遺伝子産物の発現量が決定されるとき、前記発現量が基準値よりも高い値を示す場合に、前記被験者は肥満であると判断される。前記基準値は、当業者に周知な統計処理によって算出することができる。前記基準値は、健康な被験者の母集団から採取された生物学的試料中におけるＩＧＦＢＰ５遺伝子産物の発現量の平均値として決定される場合がある。前記母集団の被験者と、診断される被験者とは、生物種、年齢及び性別が同じであることが好ましい。
【００３７】
本明細書において言及される全ての文献はその全体が引用により本明細書に取り込まれる。
【図面の簡単な説明】
【００３８】
【図１】マウス３Ｔ３−Ｌ１細胞の肥大化に伴うＩＧＦＢＰ５のｍＲＮＡの存在量の変化を示すグラフ。
【発明を実施するための形態】
【００３９】
以下に説明する本発明の実施例は例示のみを目的とし、本発明の技術的範囲を限定するものではない。本発明の技術的範囲は請求の範囲の記載によってのみ限定される。本発明の趣旨を逸脱しないことを条件として、本発明の変更、例えば、本発明の構成要件の追加、削除及び置換を行うことができる。
【実施例１】
【００４０】
マウス３Ｔ３−Ｌ１細胞の肥大化に伴うＩＧＦＢＰ５遺伝子産物の発現量の変化
材料及び方法
細胞培養
培養脂肪細胞としてマウス３Ｔ３−Ｌ１細胞が用いられた。マウス３Ｔ３−Ｌ１細胞は、１ウェルあたり３×１０４個／ｍＬとなるように市販の培養プレート（３５３０４３、ファルコン、日本ベクトン・ディッキンソン株式会社）に播種され、市販の細胞培養用培地（Ｄ−ＭＥＭ、１１８８５０８４、ＧＩＢＣＯ、ライフテクノロジーズジャパン株式会社）にウシ胎仔血清（ＦＢＳ、１６０１０１５９、ＧＩＢＣＯ、ライフテクノロジーズジャパン株式会社）を１０％添加した培地（以下、「ＦＢＳ１０％添加Ｄ−ＭＥＭ」という。）を用いて培養された。前記細胞は、３７°Ｃ、５％ＣＯ２及び飽和水蒸気雰囲気下で６時間培養された。
【００４１】
その後、前記脂肪前駆細胞を培養する培地は、インシュリン、デキサメタゾン及びイソブチルメチルキサンチン（ＩＢＭＸ）それぞれが、最終濃度０．２、０．３及び２００マイクロモルとなるように添加されたＦＢＳ１０％添加Ｄ−ＭＥＭに切り換えられ、前記脂肪前駆細胞は、３７°Ｃ、５％ＣＯ２及び飽和水蒸気雰囲気下で２日間培養された。２日間の培養後、培地は、インシュリンが最終濃度０．２マイクロモルとなるように添加されたＦＢＳ１０％添加Ｄ−ＭＥＭに切り換えられ、前記脂肪前駆細胞は、３７°Ｃ、５％ＣＯ２及び飽和水蒸気雰囲気下で２日間培養された。その後、培地はＦＢＳ１０％添加Ｄ−ＭＥＭに切り換えられ、培養期間中１日置きに培地が交換された。
【００４２】
ＩＧＦＢＰ５遺伝子産物の発現量の定量
培地はアスピレーターで除去され、各ウェルがそれぞれＰＢＳ  ２ｍＬで２回洗浄された。ＲＮＡがＲＮｅａｓｙ  Ｐｒｏｔｅｃｔ  Ｋｉｔ（７４１０４、株式会社キアゲン）を用いて各ウェルの細胞それぞれから製造者の指示に従って抽出された。ｃＤＮＡが定法に従って作成され、定量リアルタイムＰＣＲで用いられた。前記定量リアルタイムＰＣＲには、ＬｉｇｈｔＣｙｃｌｅｒ（登録商標）ＦａｓｔＳｔａｒｔ  ＤＮＡ  ＭａｓｔｅｒＰＬＵＳ  ＳＹＢＲ  Ｇｒｅｅｎ  Ｉ（カタログ番号０３  ５１５  ８８５  ００１、ロシュ・ダイアグノスティックス株式会社）が用いられた。マウスＩｇｆｂｐ５遺伝子から転写されたｍＲＮＡ由来のｃＤＮＡの断片を増幅するために、配列番号１及び２に列挙されるヌクレオチド配列からなる順方向及び逆方向プライマーの対が用いられた。マウス２８ＳｒＲＮＡの由来のｃＤＮＡの断片を増幅するために、配列番号３及び４に列挙されるヌクレオチド配列からなる順方向及び逆方向プライマーの対が用いられた。ＰＣＲの反応条件は、９５°Ｃ、１０分間を１回と、９５°Ｃ、１５秒間、６０°Ｃ、５秒間及び７２°Ｃ、５秒間を３５回とであった。ＩＧＦＢＰ５のｍＲＮＡの存在量は、ＬｉｇｈｔＣｙｃｌｅｒ  Ｓｏｆｔｗａｒｅ  Ｖｅｒ．３．５（ロシュ・ダイアグノスティックス株式会社）で解析され、２８ＳｒＲＮＡの存在量で標準化された。
【００４３】
ＩＧＦＢＰ５遺伝子産物の発現量の決定結果
図１は、マウス３Ｔ３−Ｌ１細胞のＩＧＦＢＰ５のｍＲＮＡの存在量の変化を調べた実験結果を示すグラフである。誤差棒それぞれは、同一条件のウェル３個のｍＲＮＡの存在量を決定した実験２回の値の標準誤差を示す。
【００４４】
脂肪細胞が肥大化するのに伴ってＩＧＦＢＰ５のｍＲＮＡの存在量が顕著に増大することが示された。したがって、ＩＧＦＢＰ５遺伝子産物は、被験処理条件の肥大化阻害効果を鋭敏に検出することができるので、多数の被験処理条件、例えば、多数の試験化合物が添加された培地における培養脂肪細胞の肥大化阻害効果をハイスループットに評価することができる。これは、肥満の予防及び／又は軽減に有効な化合物をスクリーニングするうえで非常に有用である。また、本発明の評価方法は、単純培養と異なり、目視による評価が困難な３次元培養においても、脂肪細胞の肥大化状態が容易に評価できるため、有用である。
【図１】
2012173078.tif 000002
【配列表】
2012173078000001.app